【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
画像を表示する画像表示部を具備し、表示装置との間で通信可能な画像供給装置であって、
前記画像表示部に表示されている内容が異なるごとに、当該画像表示部の表示状態を示す表示画像に対して、それぞれ異なる識別情報を付与する識別情報付与手段と、
出力対象の画像を指定する情報として、前記識別情報付与手段により付与された識別情報を記述した出力要求情報を生成する出力要求情報生成手段と、
前記出力要求情報生成手段により生成された出力要求情報を前記表示装置に送信する出力要求情報送信手段とを有することを特徴とする画像供給装置。
【請求項２】
前記画像表示部の表示状態を示す前記表示画像と前記識別情報付与手段により付与された識別情報とを関連付けて記憶する記憶処理手段と、
前記画像表示部に表示された表示画像が変更された場合に、前記変更された表示画像が、前記記憶処理手段において記憶された表示画像と同一であるか否かを判定する判定手段とを更に有し、
前記判定手段により、同一であると判定された場合、
前記出力要求情報生成手段は、同一であると判定された表示画像に関連付けられた識別情報を設定した出力要求情報を生成することを特徴とする請求項１に記載の画像供給装置。
【請求項３】
前記出力要求情報に記述された前記識別情報を用いて、前記表示装置から画像データ送信要求情報を受信したことに応じて、受信した前記識別情報に対応する表示画像を前記表示装置に送信する画像送信手段を更に有することを特徴とする請求項１又は２に記載の画像供給装置。
【請求項４】
前記画像表示部の表示状態を示す表示画像には、ＯＳＤが含まれていることを特徴とする請求項１乃至３の何れか１項に記載の画像供給装置。
【請求項５】
前記表示装置との間の通信プロトコルは、印刷用の通信プロトコルであって、
前記出力要求情報は、前記識別情報が設定された印刷要求ＪＯＢであることを特徴とする請求項１乃至４の何れか１項に記載の画像供給装置。
【請求項６】
ユーザが該画像供給装置の操作を行うための操作部を更に具備し、
前記操作部に対するユーザによる操作に応じて表示画像が変更され、
前記識別情報付与手段は、前記変更された表示画像ごとに識別情報を付与すると共に、前記変更された表示画像の画像データを表示装置に送信することを特徴とする請求項１に記載の画像供給装置。
【請求項７】
画像を表示する画像表示部を具備し、外部装置との間で通信可能な画像供給装置であって、
画像データを記憶する記憶媒体から画像データを読み出す読み出し手段と、
通信する外部装置の種別を判別する外部装置判別手段と、
出力対象の画像を指定する情報としての識別情報を生成する識別情報生成手段と、
出力対象の画像を指定する情報として、前記識別情報生成手段で生成された識別情報を記述した出力要求情報を生成する出力要求情報生成手段と、
前記出力要求情報生成手段により生成された出力要求情報を前記外部装置に送信する出力要求情報送信手段とを有し、
前記外部装置判別手段により外部装置が印刷装置と判定した場合、
前記識別情報生成手段は、前記記憶媒体に記憶されている画像データごとに異なる識別情報を生成し、
前記外部装置判別手段により外部装置が表示装置と判定した場合、
前記識別情報生成手段は、前記画像表示部に表示されている内容が異なるごとに、当該画像表示部の表示状態を示す表示画像に対して、それぞれ異なる識別情報を生成することを特徴とする画像供給装置。
【請求項８】
前記画像表示部の表示状態を示す表示画像には、ＯＳＤが含まれていることを特徴とする請求項７に記載の画像供給装置。
【請求項９】
前記表示装置との間の通信プロトコルは、印刷用の通信プロトコルであって、
前記出力要求情報は、前記識別情報が設定された印刷要求ＪＯＢであることを特徴とする請求項７又は８に記載の画像供給装置。
【請求項１０】
画像を表示する画像表示部を具備する画像供給装置と、画像を出力する画像出力部を具備する表示装置とが通信可能な表示システムであって、
前記画像供給装置は、
前記画像表示部に表示されている内容が異なるごとに、当該画像表示部の表示状態を示す表示画像に対して、それぞれ異なる識別情報を付与する識別情報付与手段と、
出力対象の画像を指定する情報として、前記識別情報付与手段により付与された識別情報を記述した出力要求情報を生成する出力要求情報生成手段と、
前記出力要求情報生成手段により生成された出力要求情報を前記表示装置に送信する出力要求情報送信手段とを有し、
前記表示装置は、
前記識別情報が記述された出力要求情報を受信する出力要求情報受信手段と、
前記出力要求情報受信手段により受信された出力要求情報に記述された識別情報が記憶部に記憶されているか否かを判定する識別情報判定手段と、
前記識別情報判定手段による判定の結果に応じて、前記識別情報に関連付けて記憶されている画像データを、前記画像出力部を介して出力する画像出力手段とを有することを特徴とする表示システム。
【請求項１１】
画像を表示する画像表示部を具備し、表示装置との間で通信可能な画像供給装置における画像供給方法であって、
前記画像表示部に表示されている内容が異なるごとに、当該画像表示部の表示状態を示す表示画像に対して、それぞれ異なる識別情報を付与する識別情報付与ステップと、
出力対象の画像を指定する情報として、前記識別情報付与ステップで付与された識別情報を記述した出力要求情報を生成する出力要求情報生成ステップと、
前記出力要求情報生成ステップにより生成された出力要求情報を前記表示装置に送信する出力要求情報送信ステップとを有することを特徴とする画像供給方法。
【請求項１２】
画像を表示する画像表示部を具備し、外部装置との間で通信可能な画像供給装置における画像供給方法であって、
画像データを記憶する記憶媒体から画像データを読み出す読み出しステップと、
通信する外部装置の種別を判別する外部装置判別ステップと、
出力対象の画像を指定する情報としての識別情報を生成する識別情報生成ステップと、
出力対象の画像を指定する情報として、前記識別情報生成ステップで生成された識別情報を記述した出力要求情報を生成する出力要求情報生成ステップと、
前記出力要求情報生成ステップにより生成された出力要求情報を前記外部装置に送信する出力要求情報送信ステップとを有し、
前記外部装置判別ステップで外部装置が印刷装置と判定した場合、
前記識別情報生成ステップでは、前記記憶媒体に記憶されている画像データごとに異なる識別情報を生成し、
前記外部装置判別ステップで外部装置が表示装置と判定した場合、
前記識別情報生成ステップでは、前記画像表示部に表示されている内容が異なるごとに、当該画像表示部の表示状態を示す表示画像に対して、それぞれ異なる識別情報を生成することを特徴とする画像供給方法。
【手続補正２】
【補正対象書類名】明細書
【補正対象項目名】発明の名称
【補正方法】変更
【補正の内容】
【発明の名称】画像供給装置、表示システム及び画像供給方法
【手続補正３】
【補正対象書類名】明細書
【補正対象項目名】０００１
【補正方法】変更
【補正の内容】
【０００１】
本発明は、画像供給装置から受信した画像データを表示装置に表示する表示システム、その表示システムに用いられて好適な画像供給装置及び画像供給方法に関するものである。
【手続補正４】
【補正対象書類名】明細書
【補正対象項目名】０００６
【補正方法】変更
【補正の内容】
【０００６】
本発明は、画像を表示する画像表示部を具備し、表示装置との間で通信可能な画像供給装置であって、前記画像表示部に表示されている内容が異なるごとに、当該画像表示部の表示状態を示す表示画像に対して、それぞれ異なる識別情報を付与する識別情報付与手段と、出力対象の画像を指定する情報として、前記識別情報付与手段により付与された識別情報を記述した出力要求情報を生成する出力要求情報生成手段と、前記出力要求情報生成手段により生成された出力要求情報を前記表示装置に送信する出力要求情報送信手段とを有することを特徴とする。
また、本発明は、画像を表示する画像表示部を具備し、外部装置との間で通信可能な画像供給装置であって、画像データを記憶する記憶媒体から画像データを読み出す読み出し手段と、通信する外部装置の種別を判別する外部装置判別手段と、出力対象の画像を指定する情報としての識別情報を生成する識別情報生成手段と、出力対象の画像を指定する情報として、前記識別情報生成手段で生成された識別情報を記述した出力要求情報を生成する出力要求情報生成手段と、前記出力要求情報生成手段により生成された出力要求情報を前記外部装置に送信する出力要求情報送信手段とを有し、前記外部装置判別手段により外部装置が印刷装置と判定した場合、前記識別情報生成手段は、前記記憶媒体に記憶されている画像データごとに異なる識別情報を生成し、前記外部装置判別手段により外部装置が表示装置と判定した場合、前記識別情報生成手段は、前記画像表示部に表示されている内容が異なるごとに、当該画像表示部の表示状態を示す表示画像に対して、それぞれ異なる識別情報を生成することを特徴とする。
また、本発明は、画像を表示する画像表示部を具備する画像供給装置と、画像を出力する画像出力部を具備する表示装置とが通信可能な表示システムであって、前記画像供給装置は、前記画像表示部に表示されている内容が異なるごとに、当該画像表示部の表示状態を示す表示画像に対して、それぞれ異なる識別情報を付与する識別情報付与手段と、出力対象の画像を指定する情報として、前記識別情報付与手段により付与された識別情報を記述した出力要求情報を生成する出力要求情報生成手段と、前記出力要求情報生成手段により生成された出力要求情報を前記表示装置に送信する出力要求情報送信手段とを有し、前記表示装置は、前記識別情報が記述された出力要求情報を受信する出力要求情報受信手段と、前記出力要求情報受信手段により受信された出力要求情報に記述された識別情報が記憶部に記憶されているか否かを判定する識別情報判定手段と、前記識別情報判定手段による判定の結果に応じて、前記識別情報に関連付けて記憶されている画像データを、前記画像出力部を介して出力する画像出力手段とを有することを特徴とする。
また、本発明は、画像を表示する画像表示部を具備し、表示装置との間で通信可能な画像供給装置における画像供給方法であって、前記画像表示部に表示されている内容が異なるごとに、当該画像表示部の表示状態を示す表示画像に対して、それぞれ異なる識別情報を付与する識別情報付与ステップと、出力対象の画像を指定する情報として、前記識別情報付与ステップで付与された識別情報を記述した出力要求情報を生成する出力要求情報生成ステップと、前記出力要求情報生成ステップにより生成された出力要求情報を前記表示装置に送信する出力要求情報送信ステップとを有することを特徴とする。
また、本発明は、画像を表示する画像表示部を具備し、外部装置との間で通信可能な画像供給装置における画像供給方法であって、画像データを記憶する記憶媒体から画像データを読み出す読み出しステップと、通信する外部装置の種別を判別する外部装置判別ステップと、出力対象の画像を指定する情報としての識別情報を生成する識別情報生成ステップと、出力対象の画像を指定する情報として、前記識別情報生成ステップで生成された識別情報を記述した出力要求情報を生成する出力要求情報生成ステップと、前記出力要求情報生成ステップにより生成された出力要求情報を前記外部装置に送信する出力要求情報送信ステップとを有し、前記外部装置判別ステップで外部装置が印刷装置と判定した場合、前記識別情報生成ステップでは、前記記憶媒体に記憶されている画像データごとに異なる識別情報を生成し、前記外部装置判別ステップで外部装置が表示装置と判定した場合、前記識別情報生成ステップでは、前記画像表示部に表示されている内容が異なるごとに、当該画像表示部の表示状態を示す表示画像に対して、それぞれ異なる識別情報を生成することを特徴とする。